(57)【要約】【課題】オペレータの障害早期発見と迅速な対応を支援すること。【解決手段】監視対象の障害情報を含むメッセージ情報を格納する障害情報テーブルと、画面情報場所及び入力操作場所並びにオペレータ操作に最適な最適場所を含む設置場所情報を格納する設置場所テーブルと、複数の監視端末からのメッセージ情報の取り込みを行なう入力部１と、入力部１が入力したメッセージ情報が障害情報テーブルを参照して障害情報か否かを判別する処理部２と、処理部２による判別結果及び設置場所テーブルに格納した設置場所情報に基づいて監視オペレータ操作に最適な監視端末の表示部に障害情報を表示する遷移を行なう出力部３と、設置場所テーブルに格納した設置場所情報に基づいて入力操作機能の遷移を行なう切替部４を設けたシステム監視業務支援システム。【選択図】図１
2016035678.tif 000002
【特許請求の範囲】
【請求項１】
複数顧客の監視対象機器の動作を監視し、監視対象機器に障害が発生したときにメッセージ情報を発する表示部及び入力部を有する複数の監視端末に接続され、オペレータが複数の監視対象機器の監視及び障害に対する対応を監視端末の表示部を参照しながら入力部を操作して行うシステム監視業務支援システムであって、
監視対象に発生した障害情報を含むメッセージ情報を格納する障害情報テーブルと、監視端末の画面情報場所及び入力操作場所並びにオペレータ操作に最適な最適場所を含む設置場所情報を格納する設置場所テーブルと、該障害情報テーブル及び設置場所テーブルを参照して動作する制御手段とを備え、
該制御手段が、
前記設置場所テーブルにオペレータ操作の最適場所が設定される第１工程と、
前記複数の監視端末からメッセージ情報を読み込んで障害情報に障害情報の問い合わせを行う第２工程と、
該第２工程により問い合わせたメッセージ情報が障害情報か否かを判定する第３工程と、
該第３工程によりメッセージ情報が障害情報と判定したとき、設置場所テーブルに登録された最適場所を問い合わせ、該問い合わせた最適場所の監視端末の表示部に障害情報を表示する画面情報を遷移させる第４工程と、
該第４工程により遷移した最適場所の画面情報に対する入力操作を最適場所の監視端末に切り替えるか否かの確認をオペレータに要求する第５工程と、
該第５工程によりオペレータが入力操作を切り替えたと判定したとき、設置場所テーブルに登録されたオペレータ入力操作の最適場所を問い合わせる第６工程と、
該第６工程の問い合わせにより得られた最適場所に障害が発生した監視端末の入力機能を遷移させる第７工程を実行すること特徴とするシステム監視業務支援システム。
【請求項２】
前記制御手段が、障害回復作業が終了したと判定したときに設置場所テーブルに登録されたオペレータ操作の最適場所を問い合わせる第８工程と、該第８工程の問い合わせにより得られた最適場所の表示部に障害情報を表示する画面情報を遷移させて画面情報と入力操作を元の状態に戻す第９工程とを実行することを特徴とする請求項１記載のシステム監視業務支援システム。
【請求項３】
前記制御手段が、前記第１工程におけるオペレータ操作の最適場所の設置場所テーブルへの設定を、オペレータの操作により設定されたこと、又は任意の監視端末の入力機器が操作されたこと、又は人感センサや画像検出が検出したことによってオペレータの位置が判定されたことを契機として実行させることを特徴とする請求項１又は２記載のシステム監視業務支援システム。
【請求項４】
複数顧客の監視対象機器の動作を監視し、監視対象機器に障害が発生したときにメッセージ情報を発する表示部及び入力部を有する複数の監視端末に接続され、複数の監視対象機器の監視及び障害に対する対応をオペレータが監視端末の表示部を参照しながら入力部を操作して行うコンピュータシステムのシステム監視業務支援方法であって、
監視対象に発生した障害情報を含むメッセージ情報を格納する障害情報テーブルと、監視端末の画面情報場所及び入力操作場所並びにオペレータ操作に最適な最適場所を含む設置場所情報を格納する設置場所テーブルと、該障害情報テーブル及び設置場所テーブルを参照して動作する制御手段とを設け、
該制御手段に、
前記設置場所テーブルにオペレータ操作の最適場所が設定される第１工程と、
前記複数の監視端末からメッセージ情報を読み込んで障害情報に障害情報の問い合わせを行う第２工程と、
該第２工程により問い合わせたメッセージ情報が障害情報か否かを判定する第３工程と、
該第３工程によりメッセージ情報が障害情報と判定したとき、設置場所テーブルに登録された最適場所を問い合わせ、該問い合わせた最適場所の監視端末の表示部に障害情報を表示する画面情報を遷移させる第４工程と、
該第４工程により遷移した最適場所の画面情報に対する入力操作を最適場所の監視端末に切り替えるか否かの確認をオペレータに要求する第５工程と、
該第５工程によりオペレータが入力操作を切り替えたと判定したとき、設置場所テーブルに登録されたオペレータ入力操作の最適場所を問い合わせる第６工程と、
該第６工程の問い合わせにより得られた最適場所に障害が発生した監視端末の入力機能を遷移させる第７工程を実行させること特徴とするシステム監視業務支援方法。
【請求項５】
前記制御手段に、障害回復作業が終了したと判定したときに設置場所テーブルに登録されたオペレータ操作の最適場所を問い合わせる第８工程と、該第８工程の問い合わせにより得られた最適場所の表示部に障害情報を表示する画面情報を遷移させて画面情報と入力操作を元の状態に戻す第９工程とを実行させることを特徴とする請求項４記載のシステム監視業務支援方法。
【請求項６】
前記制御手段に、前記第１工程におけるオペレータ操作の最適場所の設置場所テーブルへの設定を、オペレータの操作により設定されたこと、又は任意の監視端末の入力機器が操作されたこと、又は人感センサや画像検出が検出したことによってオペレータの位置が判定されたことを契機として実行させることを特徴とする請求項４又は５記載のシステム監視業務支援方法。
【発明の詳細な説明】
【技術分野】
【０００１】
本発明は、コンピュータシステムを監視する多数の監視端末を少人数で常時監視し、何らかの障害が発生した場合には即座に必要な処置を実行することが必要なシステム監視オペレータ業務を支援することができるシステム監視業務支援システム及びシステム監視業務支援方法に関する。
【背景技術】
【０００２】
近年、コンピュータのデータセンタにおいては複数顧客のコンピュータシステム(サーバ)の動作を個々に監視する複数台の監視端末が用意され、この複数台の監視端末を少人数、例えば一人の監視員が交代で２４時間監視し、何らかの障害が発生した場合には必要な処置を実行するシステム監視オペレータ業務が行われている。
【０００３】
このシステム監視オペレータ業務は、監視端末が監視中のコンピュータシステム(サーバ)に何らかの障害が発生したときにモニタ画面に障害が発生した旨のメッセージ情報を表示するため、複数台の監視端末のモニタ画面を一人の監視員が監視しなければならなず、全ての監視端末のモニタ画面を同時に監視することは物理的に困難であり、且つ複数台のモニタ画面を集中力を維持しながら監視を継続することは精神的に負担が大きいものであった。
【０００４】
このシステム監視オペレータ業務の支援に関する技術が記載された文献としては、下記の特許文献１が挙げられる。この特許文献１には、適用対象となるエラーメッセージを特定する切り分け条件を設定するマッチングパターン定義部と、オペレータが実行すべき処理手順を設定するアクション定義部と、必要な情報を設定する関連情報定義部を備えた複数の通知ポリシーを登録しておく記憶手段と、システムからメッセージが送信された場合、その属性情報と各通知ポリシーの切り分け条件とを比較し、適用すべき通知ポリシーを特定する手段と、その通知ポリシーのアクション定義部を参照して実行すべき処理手順を特定すると共に、関連情報定義部を参照して必要な関連情報を特定する手段と、処理手順及び関連情報を記述した支援画面を生成し、オペレータのクライアント端末に送信する手段とを備え、システム障害に対する対応の迅速化や人為的ミスを防止する技術が記載されている。
【先行技術文献】
【特許文献】
【０００５】
【特許文献１】特開２００５−２７６０４２号公報
【発明の概要】
【発明が解決しようとする課題】
【０００６】
前述の特許文献１記載技術は、エラーメッセージを特定して処理手順及び関連情報を記述した支援画面をオペレータに送信して障害の対応を行うことができるものの、「何時」「どの監視端末」で障害を検知するか分からないため、全監視端末において常時監視をしなければならない為、常時監視を行うことの人の作業による実施は困難であると共に、システムが障害を検知した場合、システム管理者が該当する監視端末に移動して操作しなければならないため、他の監視端末の監視が疎かにならざるを得ないという課題があった。
【０００７】
本発明の目的は、前述の従来技術による課題を解決しようとするものであり、障害を早期発見して迅速な対応が実現できると共に障害対応時に他の監視端末の監視も行うことができるシステム監視業務支援システム及びシステム監視業務支援方法を提供することである。
【課題を解決するための手段】
【０００８】
前記目的を達成するため本発明は、複数顧客の監視対象機器の動作を監視し、監視対象機器に障害が発生したときにメッセージ情報を発する表示部及び入力部を有する複数の監視端末に接続され、オペレータが複数の監視対象機器の監視及び障害に対する対応を監視端末の表示部を参照しながら入力部を操作して行うシステム監視業務支援システムであって、
監視対象に発生した障害情報を含むメッセージ情報を格納する障害情報テーブルと、監視端末の画面情報場所及び入力操作場所並びにオペレータ操作に最適な最適場所を含む設置場所情報を格納する設置場所テーブルと、該障害情報テーブル及び設置場所テーブルを参照して動作する制御手段とを備え、
該制御手段が、
前記設置場所テーブルにオペレータ操作の最適場所が設定される第１工程と、
前記複数の監視端末からメッセージ情報を読み込んで障害情報に障害情報の問い合わせを行う第２工程と、
該第２工程により問い合わせたメッセージ情報が障害情報か否かを判定する第３工程と、
該第３工程によりメッセージ情報が障害情報と判定したとき、設置場所テーブルに登録された最適場所を問い合わせ、該問い合わせた最適場所の監視端末の表示部に障害情報を表示する画面情報を遷移させる第４工程と、
該第４工程により遷移した最適場所の画面情報に対する入力操作を最適場所の監視端末に切り替えるか否かの確認をオペレータに要求する第５工程と、
該第５工程によりオペレータが入力操作を切り替えたと判定したとき、設置場所テーブルに登録されたオペレータ入力操作の最適場所を問い合わせる第６工程と、
該第６工程の問い合わせにより得られた最適場所に障害が発生した監視端末の入力機能を遷移させる第７工程を実行することを第１の特徴とする。
【０００９】
また、本発明は、第１の特徴によるシステム監視業務支援システムにおいて、前記制御手段が、障害回復作業が終了したと判定したときに設置場所テーブルに登録されたオペレータ操作の最適場所を問い合わせる第８工程と、該第８工程の問い合わせにより得られた最適場所の表示部に障害情報を表示する画面情報を遷移させて画面情報と入力操作を元の状態に戻す第９工程とを実行することを第２の特徴とし、前記何れかの特徴のシステム監視業務支援システムにおいて、前記制御手段が、前記第１工程におけるオペレータ操作の最適場所の設置場所テーブルへの設定を、オペレータの操作により設定されたこと、又は任意の監視端末の入力機器が操作されたこと、又は人感センサや画像検出が検出したことによってオペレータの位置が判定されたことを契機として実行させることを第３の特徴とする。
【００１０】
さらに、本発明は、複数顧客の監視対象機器の動作を監視し、監視対象機器に障害が発生したときにメッセージ情報を発する表示部及び入力部を有する複数の監視端末に接続され、複数の監視対象機器の監視及び障害に対する対応をオペレータが監視端末の表示部を参照しながら入力部を操作して行うコンピュータシステムのシステム監視業務支援方法であって、
監視対象に発生した障害情報を含むメッセージ情報を格納する障害情報テーブルと、監視端末の画面情報場所及び入力操作場所並びにオペレータ操作に最適な最適場所を含む設置場所情報を格納する設置場所テーブルと、該障害情報テーブル及び設置場所テーブルを参照して動作する制御手段とを設け、
該制御手段に、
前記設置場所テーブルにオペレータ操作の最適場所が設定される第１工程と、
前記複数の監視端末からメッセージ情報を読み込んで障害情報に障害情報の問い合わせを行う第２工程と、
該第２工程により問い合わせたメッセージ情報が障害情報か否かを判定する第３工程と、
該第３工程によりメッセージ情報が障害情報と判定したとき、設置場所テーブルに登録された最適場所を問い合わせ、該問い合わせた最適場所の監視端末の表示部に障害情報を表示する画面情報を遷移させる第４工程と、
該第４工程により遷移した最適場所の画面情報に対する入力操作を最適場所の監視端末に切り替えるか否かの確認をオペレータに要求する第５工程と、
該第５工程によりオペレータが入力操作を切り替えたと判定したとき、設置場所テーブルに登録されたオペレータ入力操作の最適場所を問い合わせる第６工程と、
該第６工程の問い合わせにより得られた最適場所に障害が発生した監視端末の入力機能を遷移させる第７工程を実行させることを第４の特徴とする。
【００１１】
また、本発明は、第４の特徴のシステム監視業務支援方法において、前記制御手段に、障害回復作業が終了したと判定したときに設置場所テーブルに登録されたオペレータ操作の最適場所を問い合わせる第８工程と、該第８工程の問い合わせにより得られた最適場所の表示部に障害情報を表示する画面情報を遷移させて画面情報と入力操作を元の状態に戻す第９工程とを実行させることを第５の特徴とし、前記何れかの特徴のシステム監視業務支援方法において、前記制御手段に、前記第１工程におけるオペレータ操作の最適場所の設置場所テーブルへの設定を、オペレータの操作により設定されたこと、又は任意の監視端末の入力機器が操作されたこと、又は人感センサや画像検出が検出したことによってオペレータの位置が判定されたことを契機として実行させることを第６の特徴とする。
【発明の効果】
【００１２】
本発明によるシステム監視業務支援システム及びシステム監視業務支援方法は、設置場所テーブルにオペレータ操作の最適場所が設定される第１工程と、前記複数の監視端末からメッセージ情報を読み込んで障害情報に障害情報の問い合わせを行う第２工程と、該第２工程により問い合わせたメッセージ情報が障害情報か否かを判定する第３工程と、該第３工程によりメッセージ情報が障害情報と判定したとき、設置場所テーブルに登録された最適場所を問い合わせ、該問い合わせた最適場所の監視端末の表示部に障害情報を表示する画面情報を遷移させる第４工程と、該第４工程により遷移した最適場所の画面情報に対する入力操作を最適場所の監視端末に切り替えるか否かの確認をオペレータに要求する第５工程と、該第５工程によりオペレータが入力操作を切り替えたと判定したとき、設置場所テーブルに登録されたオペレータ入力操作の最適場所を問い合わせる第６工程と、該第６工程の問い合わせにより得られた最適場所に障害が発生した監視端末の入力機能を遷移させる第７工程を実行することによって、オペレータに対して障害の早期発見且つ迅速な対応を支援することができる。
【図面の簡単な説明】
【００１３】
【図１】本発明の実施形態によるシステム監視業務支援システムの機能的構成を示す図。
【図２】本実施形態による事前準備処理の動作フローを示す図。
【図３】本実施形態による設置場所テーブルのデータイメージを示す図。
【図４】本実施形態による切替動作処理の動作フローを示す図。
【図５】本実施形態による障害情報テーブルのデータイメージを示す図。
【図６】本施形態による戻し作業処理の動作フローを示す図。
【発明を実施するための形態】
【００１４】
以下、本発明によるシステム監視業務支援方法を実現するシステム監視業務支援システムの一実施形態を図面を参照して詳細に説明する。
［構成］
本実施形態によるシステム監視業務支援システム１０は、図１に示す如く、複数顧客の監視対象機器（コンピュータシステム、仮想サーバ等)の動作を個々に監視し、監視対象に障害が発生したときにメッセージ情報を発する複数の監視端末に接続され、監視対象のシステム名を示すシステム情報毎のエラーコード及びメッセージを含むメッセージ情報を格納する障害情報テーブル（図５）と、システム情報毎のデータベースセンタにおけるモニタ画面の画面情報場所及び入力操作場所並びにオペレータ操作に最適な最適場所を含む設置場所情報を格納する設置場所テーブル（図３）と、該複数台の監視端末からのメッセージ情報の取り込みを行なう入力部１と、該入力部１が入力したメッセージ情報が障害情報テーブルを参照して障害情報か否かを判別する処理部２と、該処理部２による判別結果及び設置場所テーブルに格納した設置場所情報に基づいて監視オペレータ操作に最適な監視端末の表示部に障害情報を表示する遷移を行なう出力部３と、設置場所テーブルに格納した設置場所情報に基づいて入力操作の遷移を行なう切替部４を備え、前記監視端末は障害情報を表示する表示部及びオペレータにより操作させるキーボード等の入力部を有する。
【００１５】
前記障害情報テーブルは、図５に示す如く、障害内容毎に一意に付与された識別子であるＩＤと、該ＩＤ毎の監視対象のシステム名を表すシステム情報と、該ＩＤ毎に一意に付与されたエラーコードと、該エラーコードに対応した障害内容を表すメッセージの各項目情報とから成り、例えば、ＩＤ「０１」のレコードはシステム情報「Ａシステム」に発生したエラーコード「ＡＡ１０００００１」のエラーメッセージが「・・・異常終了しました」であることを格納し、ＩＤ「５１」のレコードはシステム情報「Ｂシステム」に発生したエラーコード「ＢＢ１０００００２」のエラーメッセージが「・・・異常を検知しました」であることを格納し、ＩＤ「１１１」のレコードはシステム情報「Ｃシステム」に発生したエラーコード「ＣＣ１０００００２」のエラーメッセージが「・・・障害が発生しました」であることを格納している。
【００１６】
前記設置情報テーブルは、図３に示す如く、障害内容毎に一意に付与された識別子であるＩＤと、該ＩＤ毎の監視対象のシステム名を表すシステム情報と、該システム情報毎の障害監視のモニタ画面が設置された場所（位置）毎に一意に符号が付与された画面情報場所と、該システム情報毎の障害対策のオペレータ対応を入力するための場所（位置）毎に一意の符号が付与された入力操作場所と、該画面情報及び入力操作場所の対応によりオペレータが対応操作を行うのに移動を要しない最適場所の各項目情報を格納し、例えば、ＩＤ「０３」のシステム情報「Ｃシステム」の画面情報場所及び入力操作場所が共に「３」であり、この場所が、その時点でのオペレータが在席している操作最適場所が好適である旨を示す記号「○」がフラグとして格納されている。
【００１７】
なお、本実施形態による構成は、コンピュータのソフトウェア上の機能をブロックとして表したものであって、一般のＣＰＵ・メモリ・記憶装置を有するパーソナルコンピュータ等と表示部とキーボード等の周辺器を含むハードウェア並びに次に述べる動作を実行するソフトウェアによって構成される。
【００１８】
［動作］
さて、前述のように構成された本実施形態によるシステム監視業務支援システムは、事前準備処理として、図２に示す如く、オペレータが自己の在席場所に基づいて最適場所を設置場所テーブルに設定する（図３の例では、Ｃシステムの監視端末を指定）ステップ２０１と、該ステップ２０１により指定した最適場所を設置場所テーブル（図３）に登録するステップ２０２とを実行することによって、オペレータ自身の選択により最適な障害対応場所を登録することができる。
【００１９】
なお、本実施形態においては、オペレータの操作によって最適場所を登録する例を説明したが、本発明はこれに限られるものではなく、例えば、複数台の監視端末の内、キーボードやマウス等の入力機器が操作された場所を最適場所に登録することや、人感センサやコンピュータの撮像機能を使用してオペレータ顔画像の画像認識や動き検出により検知した場所を最適場所に登録することや、予め定められたオペレータの操作場所のスケジュールに応じて最適場所を登録することや、これら手法の組み合わせた手法によって最適場所を自動的に登録するように構成しても良い。
【００２０】
次いで、本実施形態によるシステム監視業務支援システムは、前述の事前準備処理に続く切替動作処理として、図４に示す如く、入力部１が、複数の監視端末からメッセージ情報を読み込むステップ３０１と、障害情報テーブルを参照してメッセージ情報に障害情報の有無を問い合わせるステップ３０２とを実行し、処理部２が、該ステップ３０２により問い合わせたメッセージ情報が障害情報か否かを判定し、障害情報でないと判定したときに前記ステップ３０１に戻るステップ３０３を実行し、出力部３が、設置場所テーブルに登録されたオペレータ操作の最適場所を問い合わせるステップ３０４と、該ステップ３０４の問い合わせにより得られた最適場所（オペレータ在席場所）の表示部に障害情報を表示する画面情報を遷移させるステップ３０５と、該ステップ３０５により遷移した最適場所の画面情報に対する入力操作を最適場所の監視端末に切り替えるか否かの確認をオペレータに要求するステップ３０６とを実行し、切替部４が、前記ステップ３０６によりオペレータが入力操作を切り替えたか否かを判定し、入力操作を切り替えていないと判定したときに処理を終了するステップ３０７と、該ステップ３０７により入力操作を切り替えたと判定したときに設置場所テーブルに登録されたオペレータ入力操作の最適場所を問い合わせるステップ３０８と、該ステップ３０８の問い合わせにより得られた最適場所（オペレータ在席場所）に障害が発生した監視端末の機能を遷移させて処理を終了するステップ３０９とを実行することによって、オペレータは設置場所テーブルに登録された最適場所の監視端末の表示部及び入力部を用いた障害対応を行うことができる。即ち、最適場所に設定された監視端末の表示部及び入力部に、障害が発生した監視端末の表示部及び入力部の機能を遷移させることにより、オペレータは席を移動することなく、障害発生を認識し且つ障害対応を迅速に行うことができる。
【００２１】
さらに、本システム監視業務支援システムは、前述の切替動作処理後にオペレータが障害対策を行った後の戻し作業処理として、図６に示す如く、出力部３が、障害回復作業が終了したか否かを判定し、終了していないと判定したときに戻るステップ４０１と、該ステップ４０１において障害回復作業が終了していると判定したとき、設置場所テーブルに登録されたオペレータ操作の最適場所を問い合わせるステップ４０２と、該ステップ４０２の問い合わせにより得られた最適場所（オペレータ在席場所）の表示部に障害情報を表示する画面情報を元の画面（本例ではＣシステム用の監視画面）に遷移させて画面情報と入力操作を元の状態に戻すステップ４０３とを実行することによって、障害対応作業終了後のオペレータに対する表示画面を元に戻すことができる。
【００２２】
なお、本実施形態においては入力部１と処理部２と出力部３と切替部４を用いてオペレータの在席場所の障害端末の表示部に障害情報を表示する例を説明したが、これら各部位の機能を制御手段としてソフトウェアにより実行するようにしても良い。また、前記実施形態においては、オペレータが一人の例を説明したが、複数のオペレータに対する複数の最適場所を設置場所テーブルに設定しても良く、この場合、オペレータを顔画像等により検知してオペレータ毎に最適場所を個々に設定するように構成しても良い。
【００２３】
このように本実施形態によるシステム監視業務支援システムは、複数顧客の監視対象機器の動作を個々に監視し、監視対象に障害が発生したときにメッセージ情報を発する複数台の監視端末に接続され、監視対象のシステム名を示すシステム情報毎のエラーコード及びメッセージを含むメッセージ情報を格納する障害情報テーブルと、システム情報毎のデータベースセンタにおけるモニタ画面の画面情報場所及び入力操作場所並びにオペレータ操作に最適な最適場所を含む設置場所情報を格納する設置場所テーブルと、該複数台の監視端末からのメッセージ情報の取り込みを行なう入力部１と、該入力部１が入力したメッセージ情報が障害情報テーブルを参照して障害情報か否かを判別する処理部２と、該処理部２による判別結果及び設置場所テーブルに格納した設置場所情報に基づいて監視オペレータ操作に最適な監視端末の表示部に障害情報を表示する遷移を行なう出力部３と、設置場所テーブルに格納した設置場所情報に基づいて入力操作の遷移を行なう切替部４を備え、
前記設置場所テーブルにオペレータ操作の最適場所を設定する第１工程（ステップ２０１〜２０２）と、前記入力部１が、複数の監視端末からメッセージ情報を読み込んで障害情報に障害情報の問い合わせを行う第２工程（ステップ３０１〜３０２）と、前記処理部が、該第２工程により問い合わせたメッセージ情報が障害情報か否かを判定する第３工程と、前記出力部３が、設置場所テーブルに登録された最適場所を問い合わせ、該問い合わせた最適場所の監視端末の表示部に障害情報を表示する画面情報を遷移させる第４工程（ステップ３０４〜３０５）と、該第４工程により遷移した最適場所の画面情報に対する入力操作を最適場所の監視端末に切り替えるか否かの確認をオペレータに要求する第５工程（ステップ３０６）を実行し、前記切替部４が、第５工程によりオペレータが入力操作を切り替えたと判定したとき、設置場所テーブルに登録されたオペレータ入力操作の最適場所を問い合わせる第６工程（ステップ３０８）と、該第６工程の問い合わせにより得られた最適場所に障害が発生した監視端末の入力機能を遷移させる第７工程（ステップ３０９）を実行することによって、オペレータは障害を早期発見して迅速な対応でき、且つ障害対応時に他の監視端末の監視も行うことができる。
【符号の説明】
【００２４】
１  入力部、２  処理部、３  出力部、４  切替部、
１０  システム監視業務支援システム
【図１】
2016035678.tif 000003
【図２】
2016035678.tif 000004
【図３】
2016035678.tif 000005
【図４】
2016035678.tif 000006
【図５】
2016035678.tif 000007
【図６】
2016035678.tif 000008